(57)【要約】【課題】ケース本体内に配設した回路基板の振動ストレスを軽減すると共に、基板形状の設計における自由度を高める。【解決手段】上ケース２と下ケース３とを備えるケース本体１と、このケース本体１内に設けられコネクタ５を有する回路基板４とを備えた電子機器において、下ケース３に設けられ回路基板４に当接する当接部１６と、上ケース２に設けられ回路基板４の上側への移動を規制する規制部２５とを備える。実装部品を有する回路基板４の下面に当接部１６が当接し、上側への移動が規制部２５により規制されているため、回路基板４の上側への移動及び振動が規制され、上下方向に掛かる応力や振動ストレスを抑制することができる。従って、基板形状の設計に自由度を持たせることができる。【選択図】図１
2009267175.tif 000002
【特許請求の範囲】
【請求項１】
一側ケースと他側ケースとを備えるケース本体と、このケース本体内に設けられ実装部品を有する回路基板とを備えた電子機器において、前記一側ケースに設けられ前記回路基板の一側に当接する当接部と、前記他側ケースに設けられ前記回路基板の他側への移動を規制する規制部とを備えたことを特徴とする電子機器。
【請求項２】
前記規制部が前記回路基板の他側に当接する当接部であることを特徴とする請求項１記載の電子機器。
【請求項３】
前記一側及び他側ケースの前記当接部により、前記回路基板を挟持することを特徴とする請求項２記載の電子機器。
【請求項４】
前記回路基板の端部を挟持することを特徴とする請求項３記載の電子機器。
【発明の詳細な説明】
【技術分野】
【０００１】
本発明は、一側ケースと他側ケースとを備えるケース本体と、このケース本体内に設ける回路基板とを備えた電子機器に関する。
【背景技術】
【０００２】
この種の電子機器として、上ケース及び下ケースとからなる箱内に回路基板を設けたもの（例えば特許文献１）があり、その一例として、図３に示すように、ケース本体１０１は上ケース１０２と下ケース１０３とを備え、そのケース本体１０１内に回路基板１０４を配置し、前記下ケース１０３には前記回路基板１０４の端部下面を載置する当接部１０５を設け、前記下ケース１０３の下部に外部基板１０６を設けた構造のものや、図４に示すように、外部基板１０６に接続ピン１０７を固定し、この接続ピン１０７と前記回路基板１０４を半田部１０８により固定した構造のものなどがある。
【特許文献１】特開２００７−３２５３４５号公報
【発明の開示】
【発明が解決しようとする課題】
【０００３】
上記従来技術において、図３に示したものでは、回路基板１０４を上から押えていないため、ケース本体１０１が上下方向の振動を受けると、回路基板１０４が撓み、回路基板１０４及びその実装部品や回路基板１０４を接続する半田付け部に、機械的ストレスが発生し易く、また、図４に示したものでは、接続ピン１０７によって回路基板１０４を固定することにより、ケース本体１０１を上下方向に振動させても、回路基板１０４が撓むことは無いものの、接続ピン１０７の設置場所が必要となり、そのためのスペースを確保しなければならないという問題がある。
【０００４】
本発明は上記の各問題点に着目してなされたもので、ケース本体内に配設した回路基板の振動ストレスを軽減すると共に、基板形状の設計における自由度を高めることができる電子機器を提供することを、その目的とする。
【課題を解決するための手段】
【０００５】
本発明は、上記目的を達成するために、一側ケースと他側ケースとを備えるケース本体と、このケース本体内に設けられ実装部品を有する回路基板とを備えた電子機器において、前記一側ケースに設けられ前記回路基板の一側に当接する当接部と、前記他側ケースに設けられ前記回路基板の他側への移動を規制する規制部とを備えたものである。
【０００６】
また、本発明は、上記目的を達成するために、前記規制部が前記回路基板の他側に当接する当接部である。
【０００７】
また、本発明は、上記目的を達成するために、前記一側及び他側ケースの前記当接部により、前記回路基板を挟持するものある。
【０００８】
また、本発明は、上記目的を達成するために、前記回路基板の端部を挟持するものである。
【発明の効果】
【０００９】
請求項１の発明によれば、実装部品を有する回路基板の一側に当接部が当接し、他側への移動が規制部により規制されているため、回路基板の他側への移動及び振動が規制され、一側と他側方向に掛かる応力や振動ストレスを抑制することができる。従って、基板形状の設計に自由度を持たせることができる。
【００１０】
請求項２の発明によれば、実装部品を有する回路基板の一側と他側に当接部が当接するため、回路基板の一側と他側方向の位置決めがなされる。
【００１１】
請求項３の発明によれば、回路基板を一側と他側から挟持することにより、一側と他側方向に掛かる応力や振動ストレスを軽減することができる。
【００１２】
請求項４の発明によれば、振動の発生し易い端部を位置決めすることができる。
【発明を実施するための最良の形態】
【００１３】
以下、本発明における電子部品の好ましい実施例について、添付図面を参照しながら詳細に説明する。
【実施例１】
【００１４】
図１は、本実施例で提案するケース本体内に回路基板を備えた電子機器を示したものである。同図に示すように、１はケース本体であり、このケース本体１は、他側ケースたる上ケース２と、一側ケースたる下ケース３とを備え、これら上，下ケース２，３は絶縁性を備えた合成樹脂などからなる。前記ケース本体１内には、内部基板たる回路基板４が設けられ、この回路基板４は導電パターン（図示せず）を備え、該回路基板４に実装部品であるコネクタ５や他の実装部品（図示せず）が実装されている。前記コネクタ５は、一対の端子部６を、樹脂製などからなる本体たるモールド部７によりモールドしており、前記端子部６が外部の雌型コネクタや半田付けにより（図示せず）接続される。
【００１５】
また、前記下ケース３は、側壁部１１を備え、この側壁部１１の下部が開口すると共に、側壁部１１の下端内側に段部１２を形成し、この段部１２に外部基板１３の端部１３Ｔを嵌合して固定している。
【００１６】
前記下ケース３の側壁部１１の上縁には、内側縁部１５を周設し、この内側縁部１５の上面により、前記回路基板４の端部４Ｔの下面に当接する当接部１６を構成している。また、前記内側縁部１５の外側には嵌合部たる嵌合外段部１７が形成されている。また、前記外部基板１３は導電パターン（図示せず）を備え、該外部基板１３には実装部品１８が実装されており、この実装部品１８はケース本体１内に位置する。
【００１７】
前記上ケース２は、上面部２１の周囲に側壁部２２を備え、この側壁部２２の下縁内側に、嵌合部たる嵌合内段部２３を形成し、この嵌合内段部２３が前記嵌合外段部１７に嵌合する。また、前記上面部２１には、前記コネクタ５の端子部６を挿通する挿通孔２４を穿設し、この挿通孔２４の周囲に段部を形成して前記モールド部７と対向する規制部２５を形成し、この規制部２５と前記モールド部７との間には僅かな隙間が設けられている。
【００１８】
尚、規制部２５をモールド部７に当接するように設定してもよいが、寸法誤差を考慮し、上，下ケース２，３の接合に影響のないように前記隙間を設けている。
【００１９】
このように構成した電子機器においては、上，下ケース２，３を組み立てることにより、回路基板４の下面が当接部１６に面接触状態で当接し、回路基板４に実装したコネクタ５のモールド部７の上面に規制部２５が若干の隙間を置いて配置されることになり、回路基板４を上下から規制部２５と当接部１６により挟むことにより、回路基板４の振動による機械的ストレスを軽減すると共に、コネクタ５の抜き差しなどの際の機械的ストレスを軽減することができる。
【００２０】
以上のように本実施例では、一側ケースたる下ケース３と他側ケースたる上ケース２とを備えるケース本体１と、このケース本体１内に設けられ実装部品たるコネクタ５を有する回路基板４とを備えた電子機器において、下ケース３に設けられ回路基板４の一側たる下面に当接する当接部１６と、上ケース２に設けられ回路基板４の他側たる上側への移動を規制する規制部２５とを備えたから、実装部品を有する回路基板４の下面に当接部１６が当接し、上側への移動が規制部２５により規制されているため、回路基板４の上側への移動及び振動が規制され、上下方向に掛かる応力や振動ストレスを抑制することができる。従って、基板形状の設計に自由度を持たせることができる。
【００２１】
また、実装部品がコネクタ５であり、コネクタ５の端子部６を挿通孔２４に挿通し、この挿通孔２４の周囲下面により前記規制部２５を構成したから、コネクタ５と外部コネクタとの抜き挿しの際に回路基板４に加わる機械的ストレスを軽減できる。具体的には、コネクタ５から外部コネクターを抜く際、規制部２５にモールド部７が当接することにより、回路基板４のストレスが軽減される。
【実施例２】
【００２２】
図２は、本発明の実施例２を示し、上記実施例１と同一部分に同一符号を付し、その詳細な説明を省略して詳述すると、この例では、上ケース２の上面部２１を部分的に肉厚に形成して前記回路基板４の上面に当接する当接部３１を形成し、この当接部３１と前記当接部１６とにより、回路基板４の端部４Ｔを把持している。
【００２３】
以上のように本実施例では、規制部２５が回路基板４の他側たる上面に当接する当接部３１であるから、実装部品を有する回路基板４の上面と下面にそれぞれ当接部３１，１６が当接するため、回路基板４の上下方向の位置決めがなされ、上下方向に掛かる応力や振動ストレスを抑制することができる。
【００２４】
また、上，下ケース２，３の当接部３１，１６により、回路基板４を挟持するから、上下方向に掛かる応力や振動ストレスを軽減することができる。
【００２５】
さらに、前記回路基板４の端部４Ｔを挟持するから、振動の発生し易い端部４Ｔを位置決めすることができる。
【００２６】
また、嵌合内段部２３は回路基板４の厚さに対応して形成されているから、嵌合内段部２３と嵌合外段部１７と嵌合により、上，下ケース２，３の組み立てと同時に、当接部３１，１６間で回路基板４を確実に挟持することができる。
【００２７】
なお、本発明は上記実施例に限定されるものではなく、本発明の要旨の範囲において種々の変形実施が可能である。例えば、本件の電子機器は、スイッチング電源装置に好適なものであるが、他の装置にも適用可能である。
【図面の簡単な説明】
【００２８】
【図１】本発明の実施例１における断面図である。
【図２】本発明の実施例２における断面図である。
【図３】従来例を示す断面図である。
【図４】他の従来例を示す断面図である。
【符号の説明】
【００２９】
１  ケース本体
２  上ケース
３  下ケース
４  回路基板
４Ｔ  端部
５  コネクタ（実施部品）
６  端子部
７  モールド部（本体）
１６  当接部
２５  規制部
３１  当接部
【図１】
2009267175.tif 000003
【図２】
2009267175.tif 000004
【図３】
2009267175.tif 000005
【図４】
2009267175.tif 000006